(57)【要約】【課題】回動可能に支持される天板の水平位置若しくは垂直位置であっても、使用者の足や関連部材の脚部等と干渉したり不具合が生じることなく、使い勝手の良好な折り畳み式載置台を提供する。【解決手段】床面を転動するキャスタ１３を有する脚部材１２と、前記脚部材１２から立設した支柱１１の上端部に回動自在に支持された天板２と、前記天板２の背面に設けられ、前記天板２の水平位置または垂直位置のそれぞれの位置で、該天板２をロックまたはロック解除可能とするロック装置６と、を備えた折り畳み式載置台１であって、前記支柱１１の上端部に、前記天板２を回動自在に枢支する枢支部Ｄ２と、前記天板２の水平位置または垂直位置のそれぞれの位置で、前記ロック装置６を係止する係止部Ｄ３と、が設けられている。【選択図】図１
2015147012.tif 000002
【特許請求の範囲】
【請求項１】
床面を転動するキャスタを有する脚部材と、前記脚部材から立設した支柱の上端部に回動自在に支持された天板と、前記天板の背面に設けられ、前記天板の水平位置または垂直位置のそれぞれの位置で、該天板をロックまたはロック解除可能とするロック装置と、を備えた折り畳み式載置台であって、
前記支柱の上端部に、前記天板を回動自在に枢支する枢支部と、前記天板の水平位置または垂直位置のそれぞれの位置で、前記ロック装置を係止する係止部と、が設けられていることを特徴とする折り畳み式載置台。
【請求項２】
前記ロック装置は、前記係止部に係止または係止解除される被係止部と、該被係止部を係脱操作可能な操作部とを備え、前記天板の背面と前記操作部との間に、該操作部の移動代となる空隙が形成されていることを特徴とする請求項１に記載の折り畳み式載置台。
【請求項３】
前記天板に、前記空隙に向けて挿脱可能な安全装置が設けられることを特徴とする請求項２に記載の折り畳み式載置台。
【請求項４】
前記支柱の上端位置に、前記枢支部及び前記係止部を備えた幅広の補強体が固設されていることを特徴とする請求項１ないし３のいずれかに記載の折り畳み式載置台。
【発明の詳細な説明】
【技術分野】
【０００１】
本発明は、例えばスーパーマーケット、ホームセンター、ドラッグストア等の店舗において、物品の陳列や販売をする場合等に用いられる、移動および収納を簡易に行うことができる折り畳み式載置台に関する。
【背景技術】
【０００２】
従来の折り畳み式載置台には、天板が水平位置と垂直位置とを回動可能に脚部材に対し支持されたものがあり、天板の背面と脚部材とに介設されたロック装置（回動装置）が、この天板をそれぞれの位置で支持しているものがある（例えば、特許文献１参照）。
【先行技術文献】
【特許文献】
【０００３】
【特許文献１】特開２０００−１１８４０２号公報（第３頁、第７図）
【発明の概要】
【発明が解決しようとする課題】
【０００４】
しかしながら、特許文献１にあっては、折り畳み式載置台の使用時の位置である天板の水平位置において、ロック装置（回動装置）が天板の背面及び脚部材から張り出す位置で天板を支持する構造であるため、折り畳み式載置台の移動の際に使用者の足や、併用されるカート等の部材の脚部が回動装置と干渉し易いだけでなく、足や脚部との接触によりロック状態が不測に解除されてしまう不具合の虞があった。
【０００５】
本発明は、このような問題点に着目してなされたもので、回動可能に支持される天板の水平位置若しくは垂直位置であっても、使用者の足や関連部材の脚部等と干渉したり不具合が生じることなく、使い勝手の良好な折り畳み式載置台を提供することを目的とする。
【課題を解決するための手段】
【０００６】
前記課題を解決するために、本発明の折り畳み式載置台は、
床面を転動するキャスタを有する脚部材と、前記脚部材から立設した支柱の上端部に回動自在に支持された天板と、前記天板の背面に設けられ、前記天板の水平位置または垂直位置のそれぞれの位置で、該天板をロックまたはロック解除可能とするロック装置と、を備えた折り畳み式載置台であって、
前記支柱の上端部に、前記天板を回動自在に枢支する枢支部と、前記天板の水平位置または垂直位置のそれぞれの位置で、前記ロック装置を係止する係止部と、が設けられていることを特徴としている。
この特徴によれば、ロック装置に係止される係止部が、天板の回動中心となる枢支部の近傍箇所であって、かつ天板の水平位置において該天板背面の近傍箇所である支柱の上端部に設けられており、天板の水平位置または垂直位置のいずれの位置であっても、この係止部に係止されるロック装置が、天板の背面及び脚部材から張り出さずに天板をロックするため、使用者の足や関連部材の脚部等と干渉することなく、良好な使い勝手を獲得できる。
【０００７】
前記ロック装置は、前記係止部に係止または係止解除される被係止部と、該被係止部を係脱操作可能な操作部とを備え、前記天板の背面と前記操作部との間に、該操作部の移動代となる空隙が形成されていることを特徴としている。
この特徴によれば、空隙を利用して操作部を移動操作することで、被係止部の係止または係止解除を容易に行うことができる。
【０００８】
前記天板に、前記空隙に向けて挿脱可能な安全装置が設けられることを特徴としている。
この特徴によれば、安全装置を空隙に挿入することで操作部の移動が防止されるため、ロック装置の不測の誤動作を回避できる。
【０００９】
前記支柱の上端位置に、前記枢支部及び前記係止部を備えた幅広の補強体が固設されていることを特徴としている。
この特徴によれば、幅広の補強体によって回動する天板を安定して支持できるとともに、支柱や脚部材を幅細に設定でき、設計自由度が高まる。
【図面の簡単な説明】
【００１０】
【図１】実施例における折り畳み式載置台を右下前方から見た斜視図である。
【図２】折り畳み式載置台の分解斜視図である。
【図３】（ａ）は、ロック装置の回動が規制されている状態、（ｂ）は、ロック装置の回動が解除されている状態を示す拡大正面図である。
【図４】天板が水平位置にあるときのロック装置の状態を示す右側面図である。
【図５】天板が水平位置から垂直位置に折り畳まれるときのロック装置の状態を示す右側面図である。
【図６】天板が垂直位置にあるときのロック装置の状態を示す右側面図である。
【図７】ロック装置の変形例１を示す斜視図である。
【図８】天板が垂直位置にあるときのロック装置の変形例２を示す斜視図である。
【図９】枢支部と係止部の取り付け位置の変形例を示す斜視図である。
【発明を実施するための形態】
【００１１】
本発明に係る折り畳み式載置台を実施するための形態を実施例に基づいて以下に説明する。
【実施例】
【００１２】
実施例に係る折り畳み式載置台につき、図１から図６を参照して説明する。以下、図１及び図２の画面左上側を折り畳み式載置台の正面側（前方側）とし、図４から図６の画面左側を折り畳み式載置台の正面側（前方側）として説明する。また、特に説明ない限り、天板が水平を向く使用状態での折り畳み式載置台を前提に説明する。
【００１３】
図１及び図２の符号１は、本発明の適用された折り畳み式載置台である。この折り畳み式載置台１は、商品等を載置する天板２と、天板２を支える本体フレーム３と、を有している。
【００１４】
天板２の裏面側の構造について説明すると、載置面を備えた板材２ａの裏面外枠内に、左右に延びる断面略ハット型の補強材４，４，４が中央と前後両側に計３本設けられ、その下には、前後に延びる断面略Ｌ型のサッシュ５，５，５が中央と左右両側に計３本配置されている。各補強材４及びサッシュ５は、これ等が交わる箇所に丸孔が設けられ、該丸孔上面に予め図示しないナットが溶接され組立時にボルトで固定される。尚、中央のサッシュ５前方には、後述するロック装置６が段付螺子Ｄ１で枢着されており、段付螺子Ｄ１を軸に回動可能となっている。また、前方の補強材４には中央のサッシュ５右側に、後述する安全装置７が取り付けられている。
【００１５】
本体フレーム３は、左右に離間して設けられた２本の立設材８，８と、立設材８，８同士を連結する上部連結材９及び下部連結材１０と、上部連結材９及び下部連結材１０を立設材８，８の略中央で連結する縦連結材（支柱）１１と、立設材８，８の下端に逆Ｔ字型に前後に延設された脚部材１２，１２とが各々角管で構成され、それぞれが当接する箇所にて溶接等で接続されている。なお、脚部材１２の前後両端部下方には床面に転接するキャスタ１３，１３が取り付けられており、図示しないが、キャスタ１３，１３の少なくとも一方にはストッパーが付いており、ストッパーを外すことで折り畳み式載置台１を自在に走行させることができる。
【００１６】
上部連結材９は、略中央が開口した矩形状の複数枚のプレート（補強体）１４，１４，１４の各開口部１４ａに挿通されており、プレート１４，１４，１４は、立設材８，８及び縦連結材１１の上端部各一側面に溶接等で固定されている。
【００１７】
プレート１４，１４，１４は、上部後方に丸孔がそれぞれ略同軸に設けられ、該丸孔と天板２下に設けられたＬ型のサッシュ５，５，５の中央下部に設けられた丸孔とに段付螺子（枢支部）Ｄ２，Ｄ２，Ｄ２が挿通され、天板２を回動自在に枢支している。また、中央のプレート１４の下部前方には丸孔が設けられ、後述するロック装置６の第一被係止部６ｂ及び第二被係止部６ｃと選択的に係合する段付螺子（係止部）Ｄ３が取り付けられている。
【００１８】
ロック装置６は、図４から図６に示すように、下方に拡開するように略Ｖ字状に屈曲した形状のプレートからなる。当該プレートについて詳述すると、略Ｖ字状の一方の辺部である前部の上側には、左右方向の一方側に突出する平面視略矩形の突出片６ａ（操作部）が設けられ、プレートの略中央には枢軸となる段付螺子Ｄ１を通す丸孔が形成され、さらに略Ｖ字状の他方の辺部である後部は、上側が凹状を成す湾曲部が形成されている。プレートの湾曲部の略中央上部には段付螺子Ｄ３と係合したときに天板２を水平状態で係止する第一被係止部６ｂ（図４参照）、その後方には段付螺子Ｄ３と係合したときに天板２を垂直状態で係止する第二被係止部６ｃ（図６参照）の２箇所の切り欠きが設けられている。なお、プレートにおける該丸孔と第一被係止部６ｂとの間にはコイルばね１５の一端がボルトＢ１で固定して取り付けられ、コイルばね１５の他端は天板２下のサッシュ５にボルトＢ２で固定されている。したがってロック装置６は、コイルばね１５の弾性力によって、第一被係止部６ｂ及び第二被係止部６ｃを設けた湾曲部分側が常に天板２側に引き寄せられるとともに、突出片６ａが天板２から引き離されるように、付勢されている。
【００１９】
安全装置７は、図１の拡大図に示すように、側面視Ｌ字のＬ型部材７ａと２個のボルトＢ３，Ｂ３から成り、Ｌ型部材７ａの一片には左右に延びる長孔７ｂが中央に形成され、天板２に固定された補強材４に長孔７ｂを介してボルトＢ３，Ｂ３が遊嵌状態で固定されており、長孔７ｂがボルトＢ３，Ｂ３に沿うように、Ｌ型部材７ａを左右に所定長さ移動することができる。なお、図３（ａ）はＬ型部材７ａが左方向に移動し天板２背面と突出片６ａとの間の空隙Ｓに配置され、ロック装置６の突出片６ａと突合している状態、即ち段付螺子Ｄ１を軸としたロック装置６の回動がロックされている状態を示し、図３（ｂ）はＬ型部材７ａが右方向に移動して突出片６ａの空隙Ｓへの移動が可能な状態、即ちロック装置６の段付螺子Ｄ１を軸とした天板２側への回動が可能となっている状態を示したものであり、突出片６ａを天板２背面の空隙Ｓを移動代として天板２側へ引き寄せることにより係止部Ｄ３から第一被係止部６ｂが脱離し、天板２の枢支部Ｄ２を軸とした回動が可能となっている。
【００２０】
次に、折り畳み式載置台１の使用方法について図４から図６を用いて説明する。先ず、図４に示すように、天板２を使用する際には、天板２が床面に対して水平になっており、ロック装置６の第一被係止部６ｂには段付螺子Ｄ３が係合し、天板２が上下に回動することを規制している。このとき、図３（ａ）に示すように安全装置７が天板２の裏面と突出片６ａとの空隙Ｓに配置されているため、ロック装置６の回動も規制されている。
【００２１】
次に、天板２を折り畳む際には、図３（ｂ）に示すように安全装置７のＬ型部材７ａを右方向に移動させ、ロック装置６の回動規制を解除し、操作者の操作により突出片６ａをコイルばね１５の弾性力に反して上方に引き寄せることで、段付螺子Ｄ３に係合している第一被係止部６ｂが脱離し、図５に示すように段付螺子Ｄ２，Ｄ２，Ｄ２を軸として天板２手前側を上方に傾動回転させながら図６に示すように天板２が床面に対して垂直となる状態とする。
【００２２】
次に、ロック装置６の第二被係止部６ｃに段付螺子Ｄ３を係合させ天板２を垂直位置に固定する。最後に、図３（ａ）に示すように安全装置７のＬ型部材７ａを左方向の空隙Ｓに向けて移動させ、ロック装置６の突出片６ａと突合させてロック装置６の回動を規制し、折り畳み式載置台１を収納する。
【００２３】
このように、使用後に折り畳まれた折り畳み式載置台１は、折り畳まれた状態で保管場所まで移動して収納されるが、複数の折り畳み式載置台１，１，・・・を、天板２，２，・・・同士が平行となるように並置することも可能である。尚、天板２が水平位置にあるときに、複数の折り畳み式載置台１，１，・・・を連結させて並置することができるよう、例えば板材２ａの外枠の所定箇所に折り畳み式載置台１，１同士を連結する嵌合部及び被嵌合部をそれぞれ設けても良く、同様に、天板２が垂直位置にあるときに、複数の折り畳み式載置台１，１，・・・を連結させて並置することができるよう、例えば立設材８下部７や脚部材１２の所定箇所に収納状態の折り畳み式載置台１，１を連結する嵌合部及び被嵌合部をそれぞれ設けても良い。
【００２４】
このように、折り畳み式載置台１は、ロック装置６を係止する係止部Ｄ３が、天板２の回動中心となる枢支部Ｄ２の近傍箇所であって、かつ天板２の水平位置において天板２背面の近傍箇所である縦連結材１１の上端部に設けられており、天板２の水平位置または垂直位置のいずれの位置であっても、係止部Ｄ３に係止されるロック装置６が、天板２の背面及び脚部材１２から張り出さずに天板２をロックするため、使用者の足や関連部材の脚部等と干渉することなく、良好な使い勝手を獲得できる。
【００２５】
また、ロック装置６は、操作部６ａと係止部Ｄ３に係止または係止解除される第一被係止部６ｂ及び第二被係止部６ｃとを備え、天板２の背面と操作部６ａとの間に、操作部６ａの移動代となる空隙Ｓが形成されているため、第一被係止部６ｂ及び第二被係止部６ｃの係止または係止解除を容易に行うことができる。
【００２６】
また、天板２に、前記空隙Ｓに向けて挿脱可能な安全装置７が設けられるため、安全装置７を空隙Ｓに挿入することで操作部６ａの移動が防止されるため、ロック装置６の不測の誤動作を回避できる。
【００２７】
また、縦連結材１１の上端位置に、枢支部Ｄ２及び係止部Ｄ３を備えた幅広の補強体１４が固設されているため、回動する天板２を安定して支持できるとともに、支柱となる縦連結材１１や立設材８，８及び連結材９，１０等の角材を幅細に設定でき、設計自由度が高まる。
【００２８】
また、プレート１４は、平坦な上面及び側面を有する開口部１４ａを有し、開口部１４ａには、立設材８，８を連結し、開口部１４ａと当接する平坦な上面及び側面を有する上部連結材９が挿通されているため、水平位置の天板２にかかる荷重を面で受けることができると共に、上部連結材９の平坦な上面及び側面に、天板２の背面を水平位置及び垂直位置のそれぞれの位置で安定して保持させることができる。
【００２９】
次に、前記実施例の折り畳み式載置台１におけるロック装置の変形例１につき、図７を参照して説明する。尚、前記実施例に示される構成部分と同一構成部分については同一符号を付して重複する構成の説明を省略する。
【００３０】
本変形例は、天板２の左右両側に位置する立設材（支柱）８１，８１上端部にロック装置６１，６１がそれぞれ設けられており、各ロック装置６１，６１は、前記実施例において段付螺子Ｄ１が挿通される丸孔部分に小径パイプ１６が溶接され、小径パイプ１６，１６を小径パイプよりも大径の大径パイプ１７で繋ぎ入れ、螺子１８，１８で固定してロック装置６１，６１の回転動作を同期可能としている。
【００３１】
このように立設材８１，８１上端部に複数のロック装置６１，６１を設けることにより、天板２のサイズが大きくなった場合においても天板２の回動動作及び回動規制を確実に行うことができる。
【００３２】
次に、前記実施例の折り畳み式載置台１におけるロック装置の変形例２につき、図８を参照して説明する。尚、前記実施例に示される構成部分と同一構成部分については同一符号を付して重複する構成の説明を省略する。
【００３３】
本変形例は、ロック装置６２の湾曲部６ｄの膨出側の一部に、張出片６ｅが設けられている。張出片６ｅの略中央には、天板２の反対側に弾性部材からなる角錐台形状の緩衝材６ｆが設けられている。
【００３４】
緩衝材６ｆは、折り畳み式載置台１’が折り畳まれた状態で、支柱１１を中心とした天板２の反対側に張り出すように位置する。したがって、この緩衝材６ｆが、並置された隣りの折り畳み式載置台１’の天板２の載置面に接触することになり、支柱１１等の他の部品が当該載置面に接触することがないため、ネスティング状態の折り畳み式載置台１’，１’，・・・同士が衝突して天板２が損傷することを防止することができる。
【００３５】
次に、前記実施例の折り畳み式載置台１における枢支部Ｄ２と係止部Ｄ３の取り付け位置の変形例につき、図９を参照して説明する。尚、前記実施例に示される構成部分と同一構成部分については同一符号を付して重複する構成の説明を省略する。
【００３６】
本変形例は、前記実施例の上部連結材９やプレート１４がなく、天板２下部のサッシュ５，５，５に支柱８２，８２，８２が段付螺子Ｄ２，Ｄ２，Ｄ２で枢着されて段付螺子Ｄ２，Ｄ２，Ｄ２を軸として天板２が回動可能となっている。また、中央支柱８２上端の右側面前方の所定位置には、ロック装置６の第一被係止部６ｂ及び第二被係止部６ｃを係止する係止部Ｄ３が取り付けられている。
【００３７】
このように天板２下部のサッシュ５，５，５に支柱８２，８２，８２が段付螺子Ｄ２で枢着され、中央支柱８２上端に係止部Ｄ３が設けられることにより、簡易な構造の折り畳み式載置台とすることができる。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、前記実施例では、支柱となる縦連結材１１や立設材８に補強体となるプレート１４を溶接した例を示したが、これに限らず、プレート１４に挿通する上部連結材９にプレート１４が予め溶接されていても良く、このようにすることで支柱の有無に関係なく所望の位置にロック装置６を設けることができる。
【００４０】
例えば、前記実施例では、係止部Ｄ３がプレート１４の下方前方に有する場合を示したが、係止部Ｄ３を支柱となる縦連結材１１や立設材８，８に取り付けても良く、このようにすることで、前記実施例同様にロック装置６の第一被係止部６ａ及び第二被係止部６ｂに係止部を係合させて天板２を水平位置又は垂直位置にて固定することができる。
【００４１】
例えば、前記実施例では、ロック装置６は略Ｖ字形状のプレートの例を示したが、これに限らず、使用時又は収納時に天板２と平行となるように湾曲部の膨出側が一部切り欠かれたプレートであっても良く、このようにすることで収納時の折り畳み式載置台１，１，・・・の収納スペースを小さくすることができる。
【符号の説明】
【００４２】
１，１’          折り畳み式載置台
２                天板
３                本体フレーム
４                補強材
５，５１          サッシュ
６，６１，６２    ロック装置
６ａ              突出片（操作部）
６ｂ              第一被係止部
６ｃ              第二被係止部
６ｆ              緩衝材
７                安全装置
８                立設材
９                上部連結材
１０              下部連結材
１１              縦連結材（支柱）
１２              脚部材
１３              キャスタ
１４              プレート（補強体）
８１              立設材（支柱）
８２              支柱
Ｄ１              段付螺子
Ｄ２              段付螺子（枢支部）
Ｄ３              段付螺子（係止部）
【図１】
2015147012.tif 000003
【図２】
2015147012.tif 000004
【図３】
2015147012.tif 000005
【図４】
2015147012.tif 000006
【図５】
2015147012.tif 000007
【図６】
2015147012.tif 000008
【図７】
2015147012.tif 000009
【図８】
2015147012.tif 000010
【図９】
2015147012.tif 000011